(57)【特許請求の範囲】
【請求項１】
外部機器から供給される第１のトランスポートストリーム、及びディジタル放送が復調された第２のトランスポートストリームを受信するディジタルインターフェース手段と、
上記ディジタルインターフェース手段で受信した第１のトランスポートストリーム及び第２のトランスポートストリームを復号する復号処理手段と、
上記ディジタルインターフェース手段を介して受信可能な最も伝送速度の速い第１のトランスポートストリームのバイトクロック以上のクロックスピードに設定される第１のクロックを、クロック発生手段により発生される上記ディジタルインターフェース手段の動作基準となるシステムクロックを分周することにより発生するクロック発生手段と、
を有し、
上記ディジタルインターフェース手段は、
上記第１のトランスポートストリームを上記第１のクロックに同期して上記復号処理手段に転送し、上記第２のトランスポートストリームを当該第２のトランスポートストリームに同期した第２のクロックに同期して上記復号処理手段に転送する
復号装置。
【請求項２】
ディジタルインターフェースを介して外部機器から供給される第１のトランスポートストリーム、及びディジタル放送が復調された第２のトランスポートストリームを受信し、
上記ディジタルインターフェースを介して受信可能な最も伝送速度の速い第１のトランスポートストリームのバイトクロック以上のクロックスピードに設定される第１のクロックを、クロック発生手段により発生される上記ディジタルインターフェースの動作基準となるシステムクロックに基づいて発生し、
上記第１のトランスポートストリームを上記第１のクロックに同期して復号処理回路に転送し、上記第２のトランスポートストリームを当該第２のトランスポートストリームに同期した第２のクロックに同期して当該復号処理回路に転送するようにした
復号方法。
【発明の詳細な説明】
【０００１】
【発明の属する技術分野】
本発明は復号装置及び復号方法に関し、例えばディジタルテレビジョン放送を受信して復号して得たトランスポートストリームを外部に出力すると共に、外部からトランスポートストリームを入力して復号する復号装置及び復号方法に適用して好適なものである。
【０００２】
【従来の技術】
従来、映像信号をＭＰＥＧ２（Moving Picture Experts Group Phase 2）方式等の圧縮符号化方法を用いてディジタル化し、これを地上波または衛星波を介して放送するディジタルテレビジョン放送が開始されている。
【０００３】
このようなディジタルテレビジョン放送においては、視聴者は地上波または衛星波をＩＲＤ（Integrated Receiver Decoder ）と呼ばれるディジタル放送受信復号装置を用いて受信し復号する。
【０００４】
すなわち図１において、１は全体としてディジタル放送受信復号装置を示し、アンテナ５は放送電波Ｓ１を受信しこれをフロントエンド部１０に供給する。フロントエンド部１０は放送電波Ｓ１を復調し、ＴＳ（Transport Stream）パケットが連続してなるトランスポートストリームＳ１０を生成して暗号解除部１２に出力する。暗号解除部１２は、各ＴＳパケットが暗号化されている場合これを暗号解除し、分離部１５に供給する。
【０００５】
分離部１５はトランスポートストリームＳ１０から所望のＴＳパケットを抽出すると共に、映像のＴＳパケットと音声のＴＳパケットに分離して復号部１６に供給する。復号部１６は分離部１５から供給された音声のＴＳパケットＳ１５Ａ及び映像のＴＳパケットＳ１５ＶをＭＰＥＧ２方式により復号し、映像信号Ｓ１６Ｖ及び音声信号Ｓ１６Ａとして外部に出力する。
【０００６】
ここでフロントエンド部１０は、放送電波Ｓ１を復調してトランスポートストリームＳ１０を生成する際に、トランスポートストリームＳ１０に同期したバイトクロックＳ１１を生成し、これを暗号解除部１２及び分離部１５に出力する。このバイトクロックＳ１１は、データを同期して転送するための同期信号である。フロントエンド部１０、暗号解除部１２及び分離部１５はバイトクロックＳ１１に基づいて動作することにより、トランスポートストリームＳ１０を構成するＴＳパケットをバイトクロックＳ１１に同期して転送するようになされている。
【０００７】
【発明が解決しようとする課題】
このようなディジタル放送受信復号装置において、ＩＥＥＥ（Institute of Electrical and Electronics Engineers ）１３９４等の高速ディジタルデータインターフェースを設け、放送電波を受信して得たトランスポートストリームをこのディジタルデータインターフェースを介して外部に設けられたディジタルＶＴＲ（Video Tape Recorde）等のディジタル記録手段に出力して保存するとともに、ディジタル記録手段に保存されているトランスポートストリームをディジタルデータインターフェースを介して入力し復号することが考えられる。
【０００８】
ところが、このようなディジタルデータインターフェースを介してトランスポートストリームを入力する場合、ディジタル放送受信復号装置のバイトクロック（すなわち放送電波を受信して得たトランスポートストリームのバイトクロック）と、ディジタルデータインターフェースを介して入力されるトランスポートストリームのバイトクロックとが一致しないこと、すなわちデータ転送速度が一致しないことが考えられる。そしてディジタルデータインターフェースを介して入力されるトランスポートストリームのバイトクロックがディジタル放送受信復号装置のバイトクロックよりも速い場合、ディジタル放送受信復号装置においてＴＳパケットの転送取りこぼしが発生し、復号に不具合が生じるという問題を有している。
【０００９】
また、ディジタルデータインターフェースからトランスポートストリームを入力する際にディジタル放送を受信していない場合が考えられ、この場合フロントエンド部１０はバイトクロックを生成することができず、このためディジタル放送受信復号装置が動作し得なくなることが考えられる。
【００１０】
本発明は以上の点を考慮してなされたもので、簡易な構成で、ディジタル放送を受信して得たトランスポートストリームを外部に出力するとともに、外部から入力されるトランスポートストリームを復号する復号装置及び復号方法を提案しようとするものである。
【００１１】
【課題を解決するための手段】
かかる課題を解決するため本発明による復号装置においては、外部機器から供給される第１のトランスポートストリーム、及びディジタル放送が復調された第２のトランスポートストリームを受信するディジタルインターフェース手段と、ディジタルインターフェース手段で受信した第１のトランスポートストリーム及び第２のトランスポートストリームを復号する復号処理手段と、ディジタルインターフェース手段を介して受信可能な最も伝送速度の速い第１のトランスポートストリームのバイトクロック以上のクロックスピードに設定される第１のクロックを、クロック発生手段により発生されるディジタルインターフェース手段の動作基準となるシステムクロックを分周することにより発生するクロック発生手段と、を有し、ディジタルインターフェース手段は、第１のトランスポートストリームを第１のクロックに同期して復号処理手段に転送し、第２のトランスポートストリームを当該第２のトランスポートストリームに同期した第２のクロックに同期して復号処理手段に転送する。
【００１２】
復号しようとする外部機器から受信した第１のトランスポートストリームのうち最も速い伝送速度に応じた第１のクロックを設定して当該第１のトランスポートストリームを転送し、またディジタル放送が復調された第２のトランスポートストリームに同期した第２のクロックを設定して当該第２のトランスポートストリームを転送するようにしたことにより、データ列を取りこぼすことなく復号することができる。
【００１３】
また、ディジタルインターフェース手段で受信した第１のトランスポートストリームを復号処理手段に転送する際に用いられる第１のクロックを、ディジタルインターフェース手段の動作クロックを分周して生成することにより、別途クロック生成回路を設けることなく、構成が簡易になる。
【００１４】
【発明の実施の形態】
以下図面について本発明の一実施の形態を詳述する。
【００１５】
図３との対応部分に同一符号を付して示す図１において、２は全体としてディジタル放送受信復号装置を示し、図示しない制御部の制御に応じて、放送受信復号モード又は外部入力復号モードのいずれかの動作モードで動作する。ディジタル放送受信復号装置２は放送受信復号モードにおいて、放送電波Ｓ１を受信してトランスポートストリームＳ１０を復調し、さらにこれを復号して映像信号Ｓ１６Ｖ及び音声信号Ｓ１６Ａとして外部に出力する。またこれに対して、ディジタル放送受信復号装置２は外部入力復号モードにおいて、ＩＥＥＥ（Institute of Electrical and Electronics Engineers ）１３９４バス２５を介して入力されるトランスポートストリームＳ２５を復号して映像信号Ｓ１６Ｖ及び音声信号Ｓ１６Ａとして外部に出力する。
【００１６】
すなわち放送受信復号モードにおいて、ディジタル放送受信復号装置２は受信アンテナ５で放送電波Ｓ１を受信し、これを受信データ復調手段としてのフロントエンド部１０に供給する。フロントエンド部１０が有するチューナ部１７は、放送電波Ｓ１に含まれる目的のチャンネルを選択するとともに増幅し、これを受信信号Ｓ１７としてＱＰＳＫ（Quadrature Phase Shift Keying ）復調部１８に供給する。ＱＰＳＫ復調部１８は受信信号Ｓ１７をＱＰＳＫ方式により復調し、復調した信号Ｓ１８を誤り訂正部１９に供給する。またＱＰＳＫ復調部１８はバイトクロックＳ１１を生成し、これを誤り訂正部１９、暗号解除部１２及びクロック選択手段としてのクロック選択部３１に供給する。
【００１７】
誤り訂正部１９は、ＱＰＳＫ復調部１８からの信号Ｓ１８に対して所定の誤り訂正処理を行い、信号Ｓ１９を暗号解除部１２に出力する。暗号解除部１２は誤り訂正部１９から供給される信号Ｓ１９が暗号化されている場合これを暗号解除し、トランスポートストリームＳ１０をインターフェース部２０に出力する。このときＱＰＳＫ復調部１８、誤り訂正部１９及び暗号解除部１２はバイトクロックＳ１１に基づいて動作することにより、トランスポートストリームＳ１０を構成するＴＳパケットをバイトクロックＳ１１に同期して転送するようになされている。
【００１８】
インターフェース部２０はＩＥＥＥ１３９４規格に基づくディジタルデータインターフェースであり、ＩＥＥＥ１３９４バス２５に接続された他のＩＥＥＥ１３９４インターフェース（図示せず）とのデータ交換を行う物理層部２２と、物理層部２２に接続されデータの入出力の切換を行うデータ選択手段としてのリンク層部２１とで構成される。リンク層部２１はデータを一旦蓄積するバッファ（図示せず）を有している。
【００１９】
インターフェース部２０が有するリンク層部２１は、入力されたトランスポートストリームＳ１０の各ＴＳパケットをそのまま復号処理部１４が有する分離部１５に供給するとともに、物理層部２２を介して、ＩＥＥＥ１３９４バス２５に接続されているディジタル記録装置（例えばディジタルＶＴＲ）に出力する。
【００２０】
分離部１５は、トランスポートストリームＳ１０からの所望のＴＳパケットを抽出すると共に、映像のＴＳパケットＳ１５Ｖと音声のＴＳパケットＳ１５Ａに分離して復号部１６に供給する。復号部１６は、分離部１５から供給される映像のＴＳパケットＳ１５Ｖ及び音声のＴＳパケットＳ１５ＡをＭＰＥＧ２方式により復号し、映像信号Ｓ１６Ｖ及び音声信号Ｓ１６Ａとして外部に出力する。
【００２１】
ここでクロック選択部３１は放送受信復号モードにおいて、ＱＰＳＫ復調部１８から供給されるバイトクロックＳ１１を選択し、これをリンク層部２１及び分離部１５に供給する。暗号解除部１２、リンク層部２１及び分離部１５はバイトクロックＳ１１に基づいて動作することにより、トランスポートストリームＳ１０を構成するＴＳパケットをバイトクロックＳ１１に同期して転送するようになされている。
【００２２】
かくしてディジタル放送受信復号装置２は放送受信復号モードにおいて、放送電波Ｓ１を受信してトランスポートストリームＳ１０を復調し、さらにこれを復号して映像信号Ｓ１６Ｖ及び音声信号Ｓ１６Ａとして外部に出力する。なお、受信したディジタル放送に基づいて得られたトランスポートストリームをインターフェース部２０を介して外部に出力する際においても、暗号解除部１２からリンク層部２１までのトランスポートストリームの転送は、ＱＰＳＫ復調部１８で生成されたバイトクロックに基づいて行われる。
【００２３】
一方外部入力復号モードにおいて、ディジタル放送受信復号装置２はＩＥＥＥ１３９４バス２５に接続されているディジタル記録装置手段（例えばディジタルＶＴＲ）から供給されるトランスポートストリームＳ２５をインターフェース部２０に入力する。このときトランスポートストリームＳ２５は、ＩＥＥＥ１３９４規格のパケットで供給される。
【００２４】
物理層部２２は、ＩＥＥＥ１３９４バス２５を介して入力されたトランスポートストリームＳ２５をリンク層部２１に供給する。そしてリンク層部２１は、トランスポートストリームＳ２５をＩＥＥＥ１３９４規格のパケットからＴＳパケットに変換して分離部１５に供給する。分離部１５は、トランスポートストリームＳ２５を映像のＴＳパケットＳ１５Ｖと音声のＴＳパケットＳ１５Ａに分離し復号部１６に供給する。復号部１６は、分離部１５から供給される映像のＴＳパケットＳ１５Ｖと音声のＴＳパケットＳ１５ＡをＭＰＥＧ２方式により復号し、映像信号Ｓ１６Ｖ及び音声信号Ｓ１６Ａとして外部に出力する。
【００２５】
ここでインターフェース部２０には、クロック発生部２９からシステムクロックＳ２９が供給されている。このシステムクロックＳ２９はインターフェース部２０全体の動作基準となるクロックである。分周部３０は、システムクロックＳ２９を所定の分周率で分周し、これをバイトクロックＳ３０としてクロック選択部３１に供給する。クロック選択部３１は外部入力復号モードにおいて、分周部３０から供給されるバイトクロックＳ３０を選択してリンク層部２１及び分離部１５に供給する。そしてリンク層部２１及び分離部１５はバイトクロックＳ３０に基づいて動作することにより、トランスポートストリームＳ２５を構成するＴＳパケットを同期して転送するようになされている。
【００２６】
かくしてディジタル放送受信復号装置２は外部入力復号モードにおいて、ＩＥＥＥ１３９４バス２５を介して入力されるトランスポートストリームＳ２５を復号して映像信号Ｓ１６Ｖ及び音声信号Ｓ１６Ａとして外部に出力する。
【００２７】
図２はバイトクロックとＴＳパケットの転送タイミングの関係を示す。図２（Ａ）はバイトクロックを示し、ＴＳパケットを送受信する各ブロックの同期タイミングを規定する。
【００２８】
ＴＳパケットの送信側において、ＴＳパケットの転送開始時に図２（Ｂ）に示すＴＳスタート信号が１クロックの間、論理「Ｈ」レベルになる。同時に図２（Ｃ）に示すＴＳイネイブル信号が論理「Ｈ」レベルになる。このＴＳイネイブル信号は、転送されるＴＳパケットが有効であることを示す。このタイミングから、図２（Ｄ）に示すＴＳパケットがバイトクロックに同期して順次転送される。
【００２９】
ＴＳパケットの受信側は、ＴＳイネイブル信号が論理「Ｈ」レベルの間、バイトクロックに同期して順次ＴＳパケットを取り込んでいく。かくして送信側と受信側の間でＴＳパケットが転送される。１パケット分（１８８バイト）の転送が終了するとＴＳイネイブル信号が論理「Ｌ」レベルになり、１パケットの転送が終了する。
【００３０】
因みに、一般的なディジタルテレビジョン放送におけるトランスポートストリームのバイトクロックは６ＭＨｚ（４８Ｍｂｐｓ）程度あれば十分であると考えられている。また、ディジタルＶＴＲ等のディジタル記録装置に記録するトランスポートストリームの供給源はディジタルテレビジョン放送であると想定されるため、ＩＥＥＥ１３９４バス２５を介して入力されるトランスポートストリームＳ２５のバイトクロックも６ＭＨｚ程度になるものと考えられる。
【００３１】
従ってバイトクロックＳ３０のクロックの周波数を６〔ＭＨｚ〕以上に設定すれば、トランスポートストリームＳ２５の転送取りこぼしを回避することができると考えられる。ＩＥＥＥ１３９４のシステムクロックＳ２９は５０〔ＭＨｚ〕が用いられるため、当該システムクロックＳ２９を８分周して６．２５〔ＭＨｚ〕のクロックを生成し、これをバイトクロックＳ３０として用いることにより、トランスポートストリームＳ２５の転送取りこぼしを回避することができる。
【００３２】
以上の構成において、放送電波を受信して復号する場合、ディジタル放送受信復号装置２は放送受信復号モードで動作する。
【００３３】
すなわちディジタル放送受信復号装置２は放送電波Ｓ１をアンテナ５で受信し、これをフロントエンド部１０で復調して、暗号解除部１２で暗号を解読することによりトランスポートストリームＳ１０を生成し、リンク層部２１を介して復号処理部１４に供給する。そして復号処理部１４はトランスポートストリームＳ１０を復号し、映像信号Ｓ１６Ｖ及び音声信号Ｓ１６Ａとして外部に出力する。
【００３４】
このときディジタル放送受信復号装置２は、ＱＰＳＫ復調部１８で生成され、トランスポートストリームＳ１０に同期したクロックであるバイトクロックＳ１１に基づいて動作し、トランスポートストリームＳ１０を構成するＴＳパケットを同期して転送する。
【００３５】
一方、外部から入力されたトランスポートストリームを復号する場合、ディジタル放送受信復号装置２は外部入力復号モードで動作する。
【００３６】
すなわちディジタル放送受信復号装置２は、ＩＥＥＥ１３９４バス２５に接続されているディジタル記録装置から供給されるトランスポートストリームＳ２５をインターフェース部２０に入力し、リンク層部２１を介して復号処理部１４に入力する。そして復号処理部１４はトランスポートストリームＳ２５を復号し、映像信号Ｓ１６Ｖ及び音声信号Ｓ１６Ａとして外部に出力する。
【００３７】
このときディジタル放送受信復号装置２は、トランスポートストリームＳ２５に同期したクロックを用いず、インターフェース部２０を介して入力されるトランスポートストリームＳ２５の内、想定される最高転送速度よりも速い速度で転送可能なクロックを、システムクロックＳ２９を分周して生成する。そしてディジタル放送受信復号装置２は、システムクロックＳ２９を分周して生成されたバイトクロックＳ３０に基づいて動作し、トランスポートストリームＳ２５を構成するＴＳパケットを同期して転送する。
【００３８】
以上の構成によれば、フロントエンド部１０においてトランスポートストリームＳ１０に同期したバイトクロックＳ１１を生成するとともに、システムクロックＳ２９を分周してバイトクロックＳ３０を生成する分周部３０及びバイトクロックＳ１１とバイトクロックＳ３０を選択して供給するクロック選択部３１を設け、放送電波を受信して復号する場合はバイトクロックＳ１１を選択し、外部から入力されたトランスポートストリームを復号する場合はバイトクロックＳ３０を選択するようにしたことにより、ＴＳパケットの転送取りこぼしを回避することができる。また、クロック発生部２９はディジタルデータインターフェースを設ける場合には必須な構成であり、本発明では、このクロック発生部２９が発生するシステムクロックＳ２９を分周してバイトクロックを生成するようにしたので、追加となる回路は分周部３０とクロック選択部３１だけとなり、新規に設計しなければならない回路が少なくて済む。
【００３９】
なお上述の実施の形態においては、インターフェース部２０全体の動作基準となるシステムクロックＳ２９を分周してバイトクロックＳ３０を生成したが、本発明はこれに限らず、ディジタル放送受信復号装置２が有する他の様々なクロックを分周してバイトクロックＳ３０を生成してもよい。
【００４０】
また上述の実施の形態においては、システムクロックＳ２９を８分周して６．２５〔ＭＨｚ〕のクロックを生成し、これをバイトクロックＳ３０として用いたが、本発明はこれに限らず、想定される外部入力のバイトクロックに応じて他の様々の周波数のクロックを分周してもよい。
【００４１】
【発明の効果】
上述のように本発明によれば、復号しようとする外部機器から受信した第１のトランスポートストリームのうち最も速い伝送速度に応じた第１のクロックを設定して当該第１のトランスポートストリームを転送し、またディジタル放送が復調された第２のトランスポートストリームに同期した第２のクロックを設定して当該第２のトランスポートストリームを転送するようにしたことにより、データの転送取りこぼしを回避し得る。
【図面の簡単な説明】
【図１】本発明によるディジタル放送受信復号装置の一実施の形態を示すブロック図である。
【図２】ＴＳパケットの転送タイミングを示すタイミングチャートである。
【図３】ディジタル放送受信復号装置の構成を示すブロック図である。
【符号の説明】
１、２……ディジタル放送受信復号装置、５……アンテナ、１０……フロントエンド部、１２……暗号解除部、１４……復号処理部、１５……分離部、１６……復号部、１７……チューナ、１８……ＱＰＳＫ復調部、１９……誤り訂正部、２０……インターフェース部、２１……リンク層部、２２……物理層部、２９……クロック発生部、３０……分周部、３１……クロック選択部。
【図１】
0004529055.tif 000002
【図２】
0004529055.tif 000003
【図３】
0004529055.tif 000004